(57)【要約】      （修正有）【課題】長期にわたり配管経路が冠水することを防止するため、配管室への浸水を検知し、配管室に隣接する機械室または他の部屋から容易に点検できる油圧エレベータの配管点検装置を提供する。【解決手段】乗りかごを昇降させる油圧ジャッキが設置される昇降路と、駆動機器が設置される機械室と、昇降路と機械室の間に設けられる配管室と、配管室に配設され、油圧ジャッキ及び駆動機器に接続される配管と、配管室に配置される冠水センサー１７とを備える。【選択図】図２
2008013329.tif 000002
【特許請求の範囲】
【請求項１】
乗りかごを昇降させる油圧ジャッキが設置される昇降路と、
駆動機器が設置される機械室と、
前記昇降路と前記機械室の間に設けられる配管室と、
前記配管室に配設され、前記油圧ジャッキ及び前記駆動機器に接続される配管と、
前記配管室に配置される冠水センサーと、
を備えたことを特徴とする油圧エレベータの配管点検装置。
【請求項２】
冠水センサーは、フロートスイッチで構成されることを特徴とする請求項１記載の油圧エレベータの配管点検装置。
【請求項３】
冠水センサーは、抵抗線で構成されることを特徴とする請求項１記載の油圧エレベータの配管点検装置。
【請求項４】
冠水センサーは、配管下方で配管室の床面近傍に配置されたことを特徴とする請求項１〜請求項３のいずれかに記載の油圧エレベータの配管点検装置。
【請求項５】
配管室の床面は、昇降路の床面及び機械室の床面よりも下方に位置することを特徴とする請求項４記載の油圧エレベータの配管点検装置。
【請求項６】
冠水センサーは、保持具の一端に固定され、前記保持部の他端には蓋が固定され、前記蓋は、配管室と前記配管室と隣接した部屋間に立設した壁に設けられ、前記配管室と隣接した前記部屋から前記配管室へ下方へ向かう傾斜穴に前記配管室と隣接した前記部屋から着脱自在に嵌合することを特徴とした請求項５記載の油圧エレベータの配管点検装置。
【請求項７】
乗りかごを昇降させる油圧ジャッキが設置される昇降路と、
駆動機器が設置される機械室と、
前記昇降路と前記機械室の間に設けられる配管室と、
前記配管室に配設され、前記油圧ジャッキ及び前記駆動機器に接続される配管と、
前記配管室に設けられるカメラ及び照明と、
を備えたことを特徴とする油圧エレベータの配管点検装置。
【請求項８】
カメラ及び照明は、配管室と前記配管室と隣接した部屋間に立設する壁の開口部に枢設され、隣接した前記部屋側に開閉する蓋の前記配管室側の面に設置されることを特徴とする請求項７記載の油圧エレベータの配管点検装置。
【発明の詳細な説明】
【技術分野】
【０００１】
この発明は、油圧エレベータの配管点検装置に関するものである。
【背景技術】
【０００２】
従来のビルに設置される油圧エレベータは、建物の建築の都合により、油圧の駆動機器が設置される機械室と、乗りかごが設置される昇降路を離して設置する場合がある。この場合、油圧の駆動機器と乗りかごを昇降する油圧ジャッキは、昇降路の床面及び機械室の床面よりも下方に位置する床面を有する配管室に配設される配管で接続される。
【０００３】
また、別の従来の油圧エレベータにおいては、機械室或いはピットに水が溜まったことを検出する検出手段と、この検出手段動作時、平常時電磁弁を閉動作させると共にポンプを起動し、機械室あるいはピットの水を外部へ排出させる排水手段と、排水後、ポンプ内および配管内に残った水を排出する復帰用電磁弁と復帰用配管と廃油タンクを備えたものが提案されている（例えば、特許文献１参照）。
【０００４】
【特許文献１】特開２０００−３５５４７６号公報
【発明の開示】
【発明が解決しようとする課題】
【０００５】
従来の油圧エレベータにおいては、機械室と昇降路が離れて設置されているビルで、特に配管が昇降路の床面及び機械室の床面よりも下方の床下に配設されている場合は、その配管経路の環境の経年変化を把握できず、湧水、排水、雨水等の流れ込みにより水が溜まり、配管室の湿度上昇や配管の水没を招き、金属で形成された配管の腐食を増長させ、配管を損傷させるという問題があった。
【０００６】
また、特許文献１記載のものは、機械室及び昇降路への浸水の対策は施されているが、機械室と昇降路が隣接している場合を想定しているため、床下の配管室に配設される配管への対策は考慮されていない。
【０００７】
この発明は、上述のような課題を解決するためになされたもので、その目的は、長期にわたり配管経路が冠水することを防止するため、配管室への浸水を検知し、配管室に隣接する機械室または他の部屋から容易に点検できる油圧エレベータの配管点検装置を提供することである。
【課題を解決するための手段】
【０００８】
この発明に係る油圧エレベータの配管点検装置は、乗りかごを昇降させる油圧ジャッキが設置される昇降路と、駆動機器が設置される機械室と、前記昇降路と前記機械室の間に設けられる配管室と、前記配管室に配設され、前記油圧ジャッキ及び前記駆動機器に接続される配管と、前記配管室に配置される冠水センサーとを備えたものである。
【発明の効果】
【０００９】
この発明は、乗りかごを昇降させる油圧ジャッキが設置される昇降路と、駆動機器が設置される機械室と、前記昇降路と前記機械室の間に設けられる配管室と、前記配管室に配設され、前記油圧ジャッキ及び前記駆動機器に接続される配管と、前記配管室に配置される冠水センサーとを備える構成としたことで、配管室への浸水を検知することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１は昇降路と機械室が離れて設置される油圧エレベータの構成の断面図、図２はこの発明の実施の形態１を示す油圧エレベータの配管点検装置を含む油圧エレベータの構成の断面図、図３は図２のＡ部拡大図で、この発明の実施の形態１を示す油圧エレベータの配管点検装置である。
【００１２】
図において、１は半地下に床面を有する昇降路、２は昇降路１内に設けられた油圧ジャッキ、３は油圧ジャッキ２のプランジャ上端に設置される綱車、４は綱車３に巻き掛けられ、一端が昇降路１に固定される主索、５は主索４の他端に吊持される乗りかご、６は一端が油圧ジャッキ２のシリンダに接続される配管、７は配管６が配設される昇降路側配管室、８は配管６が配設される機械室側配管室、９は半地下に設けられた機械室、１０は機械室９に設置され、配管６の他端が接続される油圧の駆動機器である。昇降路側配管室７と機械室側配管室８の床面は、昇降路１の床面及び機械室９の床面よりも下方に位置している。
【００１３】
駆動機器１０の下部から機械室側配管室８へ水平方向に延びる配管６は、ストップバルブ１１を介して、機械室９と機械室側配管室８間に立設する壁を挿通した直後、鉛直下向きに方向を変える。その後、機械室側配管室８の床面近傍にて、昇降路側配管室７に向けて水平方向に向きを変え、機械室側配管室８と昇降路側配管室７間に立設する壁する壁を挿通し、昇降路側配管室７と昇降路１間に立設した壁近傍で鉛直上向きに方向を変える。そして、昇降路１の床面よりも高い位置に到達した後、昇降路１側に向けて水平方向に向きを変え、昇降路側配管室７と昇降路１間に立設した壁を挿通した直後に鉛直上向きに向きを変える。最後に水平方向に向きを変え、油圧ジャッキ２のシリンダの下部側面に接続される。なお、配管６には、適宜、複数の継手１２が使用されている。
【００１４】
エレベータの運転時は、駆動機器１０内のポンプ（図示せず）から配管６を介して油圧ジャッキ２のシリンダに油が送られたり、駆動機器１０内のタンク（図示せず）に配管６を介して油を戻したりすることにより、油圧ジャッキ２のプランジャが上下し、綱車３、主索４を介し乗りかご５が昇降する。
【００１５】
この発明の油圧エレベータの配管点検装置は、機械室９の床面及び機械室側配管室８の天井下面間に位置し、機械室９と機械室側配管室８間に立設する壁に設けられ、機械室９から機械室側配管室８へ下方へ向かう傾斜穴１３に機械室９側から着脱自在に嵌合する取っ手１４付きストッパーからなる蓋１５と、一端が蓋１５に固定され、傾斜穴１３と平行に機械室側配管室８の床面近傍まで延びる細長筒状の保持具１６と、保持具１６の他端に固定され、機械室側配管室８に配設される配管６の下方で機械室側配管室８の床面近傍に配置されるフロートスイッチからなる冠水センサー１７から構成されている。冠水センサー１７の配線１８は、保持具１６に挿通され、機械室９と機械室側配管室８間に立設する壁の機械室９側に固定された端子箱１９に接続され、冠水センサー１７からの信号を端子箱１９に接続された冠水検知機器（図示せず）へ送る。
【００１６】
このように構成された油圧エレベータの配管点検装置は、設置時において、機械室９側から冠水センサー１７が傾斜穴１３に挿通される。冠水センサー１７に続き、保持具１６も傾斜穴１３に挿通され、蓋１５が傾斜穴１３に嵌合され、冠水センサー１７が所定位置に配置される。
【００１７】
機械室側配管室８の床面は、昇降路１の床面及び機械室９の床面よりも下方に位置しているため、建物外部からの浸水、湧水が起こると機械室側配管室８に水が溜まるが、冠水センサー１７は、機械室側配管室８に配設される配管６の下方で機械室側配管室８の床面近傍に配置されるため、配管６が冠水する前に冠水センサー１７が作動し配線１８を経由して冠水検知機器に冠水を検知した信号を送ることができ、排水作業等の配管６の保守作業に着手できる。
【００１８】
この発明の油圧エレベータの配管点検装置においては、冠水センサー１７の点検時、機械室９側から取っ手１４を引き上げることにより、蓋１５が傾斜穴１３から外れ、蓋１５と一体化された保持具１６、冠水センサー１７を機械室９に引き上げることができる。
従って、通常、床下や地下に設けられ、作業スペースの確保が困難な配管室内ではなく、作業スペースを確保できる機械室９で油圧エレベータの配管点検装置を容易に点検できる。
【００１９】
実施の形態２．
図４はこの発明の実施の形態２を示す油圧エレベータの配管点検装置を含む油圧エレベータの構成の断面図、図５は図４のＢ部拡大図で、この発明の実施の形態２を示す油圧エレベータの配管点検装置である。
【００２０】
冠水センサー１７を実施の形態１におけるフロートスイッチから抵抗線に変更したものである。従って、実施の形態２における油圧エレベータの配管点検装置の構成、動作、効果は実施の形態１と同様である。
【００２１】
実施の形態３．
図６はこの発明の実施の形態３を示す油圧エレベータの配管点検装置を含む油圧エレベータの構成の断面図、図７は図６のＣ部拡大図で、この発明の実施の形態３を示す油圧エレベータの配管点検装置、図８は図７のＤ−Ｄ線における断面図である。
【００２２】
実施の形態３においては、実施の形態１及び実施の形態２と配管６の配設状況が多少異なる。即ち、駆動機器１０の下部から機械室側配管室８へ水平方向に延びる配管６は、ストップバルブ１１を介して、機械室９と機械室側配管室８間に立設する壁を挿通し、機械室側配管室８と昇降路側配管室７間に立設した壁近傍まで進んだ後、鉛直下向きに方向を変える。その後、機械室側配管室８の床面近傍にて、昇降路側配管室７へ向けて水平方向に向きを変え、機械室側配管室８と昇降路側配管室７間に立設する壁する壁を挿通し、昇降路側配管室７と昇降路１間に立設した壁近傍で鉛直上向きに方向を変える。そして、昇降路１の床面よりも高い位置に到達した後、昇降路１へ向けて水平方向に向きを変え、昇降路側配管室７と昇降路１間に立設した壁を挿通した直後に鉛直上向きに向きを変える。最後に水平方向に向きを変え、油圧ジャッキ２のシリンダの下部側面に接続される。なお、配管６には、適宜、複数の継手１２が使用されている。
【００２３】
実施の形態３における油圧エレベータの配管点検装置は、機械室９の床面及び機械室側配管室８の天井下面間に位置し、機械室９と機械室側配管室８間に立設する壁の開口部に蝶番を介して枢設され、機械室９側に開閉する、ロック装置２０及び取っ手１４の設けられた平板状の蓋１５と、この蓋１５の機械室側配管室８側の面に設置されるカメラ２１及び照明２２から構成されている。
【００２４】
このように構成された油圧エレベータの配管点検装置は、照明２２で照らされた機械室側配管室８内の状況をカメラ２１で観察することができる。従って、単に配管６の冠水を検知するだけでなく、視覚的に配管６の腐食状況等も確認することができるため、配管６の冠水や腐食が著しくなる前に排水作業等の配管６の保守作業に着手できる。なお、実施の形態１及び実施の形態２と配管６の配設状況が多少異なるのは、カメラ２１の視野に収まる配管６の割合を多くし、より確実に配管６の冠水や腐食の状況の確認を行うことができるようにするためである。
【００２５】
この発明の油圧エレベータの配管点検装置においては、カメラ２１及び照明２２の点検時、機械室９から取っ手１４を引っ張り、蓋１５を開くことにより、蓋１５の機械室側配管室８側の面に設置されるカメラ２１及び照明２２を機械室９に引き入れることができる。従って、通常、床下や地下に設けられ、作業スペースの確保が困難な配管室内ではなく、作業スペースを確保できる機械室９から油圧エレベータの配管点検装置を容易に点検できる。
【００２６】
なお、上記実施の形態では、機械室９から油圧エレベータの配管点検装置を点検できる構成としたが、機械室側配管室８に隣接した部屋であれば、他の部屋でも構わない。
従って、機械室９と隣接していない昇降路側配管室７についても同様に隣接した他の部屋から油圧エレベータの配管点検装置を点検できるのは言うまでもない。
【図面の簡単な説明】
【００２７】
【図１】昇降路と機械室が離れて設置される油圧エレベータの構成の断面図である。
【図２】この発明の実施の形態１を示す油圧エレベータの配管点検装置を含む油圧エレベータの構成の断面図である。
【図３】図２のＡ部拡大図で、この発明の実施の形態１を示す油圧エレベータの配管点検装置である。
【図４】この発明の実施の形態２を示す油圧エレベータの配管点検装置を含む油圧エレベータの構成の断面図である。
【図５】図４のＢ部拡大図で、この発明の実施の形態２を示す油圧エレベータの配管点検装置である。
【図６】この発明の実施の形態３を示す油圧エレベータの配管点検装置を含む油圧エレベータの構成の断面図である。
【図７】図６のＣ部拡大図で、この発明の実施の形態３を示す油圧エレベータの配管点検装置である。
【図８】図７のＤ−Ｄ線における断面図である。
【符号の説明】
【００２８】
１  昇降路
２  油圧ジャッキ
３  綱車
４  主索
５  乗りかご
６  配管
７  昇降路側配管室
８  機械室側配管室
９  機械室
１０  駆動機器
１１  ストップバルブ
１２  継手
１３  傾斜穴
１４  取っ手
１５  蓋
１６  保持具
１７  冠水センサー
１８  配線
１９  端子箱
２０  ロック装置
２１  カメラ
２２  照明
【図１】
2008013329.tif 000003
【図２】
2008013329.tif 000004
【図３】
2008013329.tif 000005
【図４】
2008013329.tif 000006
【図５】
2008013329.tif 000007
【図６】
2008013329.tif 000008
【図７】
2008013329.tif 000009
【図８】
2008013329.tif 000010